(57)【特許請求の範囲】
【請求項１】
対向配置された、少なくとも一方がスライド移動可能な一対のスクリーン取付枠部に、スクリーンが、両スクリーン取付枠部間に収縮および展開自在に取り付けられ、スクリーン取付枠部への取付側でないスクリーンの両端部付近にスライドガイド枠部が一対配設され、スライドガイド枠部は、対向配置された一対の側壁部と両側壁部を相互に繋ぐ架橋部とを有する剛性ユニットが隣り合う２つにおいて回動自在に連設されて形成され、スライドガイド枠部は、屈曲性を有し、少なくとも一端が自由端とされてスクリーン取付枠部内に収納および引き出し可能とされる一方、スクリーン取付枠部のスライド移動にともなってスクリーン取付枠部から引き出されたときにスライドガイド枠部の引き出された部分は直線性を保持するスクリーン装置において、スクリーンの表裏両側に対向配置された一対の方立てが、連結部材によって連結され、スクリーンを挟み込んで一対のスライドガイド枠部間に固定され、連結された方立ては、一体としてスクリーン取付枠部のスライド移動方向と平行な方向にスライド移動可能とされ、連結部材はスペーサーを有し、連結部材は、スペーサーをスクリーンの表裏面の何れかの一方に当接して一対の方立てを連結し、連結された方立てにおいて一方の方立てとスクリーンとの間にスペーサーの厚み分の間隙が形成され、一対のスクリーン取付枠部間に張設された張力部材が、その間隙を通じてスクリーンを貫通していることを特徴とするスクリーン装置。
【請求項２】
それぞれのスライドガイド枠部は、複数のスライドガイド枠部ユニットが連結されて形成され、一対の方立てが、両スライドガイド枠部において対向して位置する、スライドガイド枠部ユニットの連結部に固定されていることを特徴とする請求項１に記載のスクリーン装置。
【発明の詳細な説明】
【技術分野】
【０００１】
本発明は、カーテン、ブラインド、網戸、さらに間仕切りなどとして用いることのできる多用途のスクリーン装置に関する。
【背景技術】
【０００２】
カーテン、ブラインドなどの遮光および調光手段や網戸、間仕切りなどとして使用する際の設置の制約を解消し、スムーズで安定した開閉操作を実現する装置として、本出願人は、スクリーン装置を提供している（たとえば特許文献１）。
【０００３】
特許文献１に記載したスクリーン装置では、対向配置された、少なくとも一方がスライド移動可能な一対のスクリーン取付枠部に、スクリーンが、両スクリーン取付枠部間に収縮および展開自在に取り付けられ、スクリーン取付枠部への取付側でないスクリーンの両端部付近にスライドガイド枠部が一対配設されている。スライドガイド枠部は、対向配置された一対の側壁部とこれを相互に繋ぐ架橋部とを有する剛性ユニットが隣り合う２つにおいて回動自在に連設されて形成され、スライドガイド枠部は、屈曲性を有し、少なくとも一端が自由端とされてスクリーン取付枠部内に収納および引き出し可能とされている。スクリーン取付枠部のスライド移動にともなってスクリーン取付枠部から引き出されたスライドガイド枠の部分は直線性を保持する。このようなスライドガイド枠部によって、設置の制約の解消とスムーズで安定した開閉操作を実現している。
【０００４】
上記スクリーン装置は、たとえば窓やドア枠などの開口部の大きさに合わせて所望の大きさのものに作製することができるが、大型のもの、特に開閉方向の幅、すなわち、スクリーン取付枠部のスライド移動方向の幅が大きいものの場合、以下のような問題が指摘される。
【０００５】
スクリーンが展開され、スクリーン装置が閉まっている状態において強い風を受けると、スクリーンが風圧によって大きく撓むことがある。このようにスクリーンが大きく撓むと、スライドガイド枠部との間に大きな隙間が形成され、遮光性、防虫性などのスクリーン装置の機能が損なわれる。
【０００６】
また、スライドガイド枠部がスクリーンの上下両端部付近に配設されたスクリーン装置では、上側のスライドガイド枠部は、スクリーンが有する剛性によって下方から支持されるようになっており、開閉方向の幅が大きい場合にも、スクリーン取付枠部から引き出されたスライドガイド枠部の直線性が安定して保持されるようにしているが、上記のようにスクリーンが大きく撓むと、スクリーンによる支持が不十分となり、上側のスライドガイド枠部が自重により撓み、スクリーン装置の開閉操作に支障をきたすことになる。
【０００７】
上記の問題の内、スクリーンの上端部付近に配設された上側のスライドガイド枠部の自重による撓みについては、本出願人が提案しているスクリーン装置（特許文献２）における片持ち梁によって解消可能であるが、片持ち梁は、スクリーンの風圧による撓みを抑制する機能は持たないため、スクリーンの風圧による撓みに起因する上記問題を抜本的に解決するためには他の技術手段が要望される。
【特許文献１】特許第３３２３４６１号公報
【特許文献２】特開２００２−２４２５６３号公報
【発明の開示】
【発明が解決しようとする課題】
【０００８】
本発明は、以上の通りの事情に鑑みてなされたものであり、開閉方向の幅が大きい場合に、閉めた状態において風圧を受けてもスクリーンの撓みを抑制することのできるスクリーン装置を提供することを課題としている。
【課題を解決するための手段】
【０００９】
本発明は、上記の課題を解決するために、以下の特徴を有している。
【００１０】
第１の発明は、対向配置された、少なくとも一方がスライド移動可能な一対のスクリーン取付枠部に、スクリーンが、両スクリーン取付枠部間に収縮および展開自在に取り付けられ、スクリーン取付枠部への取付側でないスクリーンの両端部付近にスライドガイド枠部が一対配設され、スライドガイド枠部は、対向配置された一対の側壁部と両側壁部を相互に繋ぐ架橋部とを有する剛性ユニットが隣り合う２つにおいて回動自在に連設されて形成され、スライドガイド枠部は、屈曲性を有し、少なくとも一端が自由端とされてスクリーン取付枠部内に収納および引き出し可能とされる一方、スクリーン取付枠部のスライド移動にともなってスクリーン取付枠部から引き出されたときにスライドガイド枠部の引き出された部分は直線性を保持するスクリーン装置において、スクリーンの表裏両側に対向配置された一対の方立てが、連結部材によって連結され、スクリーンを挟み込んで一対のスライドガイド枠部間に固定され、連結された方立ては、一体としてスクリーン取付枠部のスライド移動方向と平行な方向にスライド移動可能とされ、連結部材はスペーサーを有し、連結部材は、スペーサーをスクリーンの表裏面の何れかの一方に当接して一対の方立てを連結し、連結された方立てにおいて一方の方立てとスクリーンとの間にスペーサーの厚み分の間隙が形成され、一対のスクリーン取付枠部間に張設された張力部材が、その間隙を通じてスクリーンを貫通していることを特徴としている。
【００１２】
第２の発明は、上記第１の発明の特徴において、それぞれのスライドガイド枠部は、複数のスライドガイド枠部ユニットが連結されて形成され、一対の方立てが、両スライドガイド枠部において対向して位置する、スライドガイド枠部ユニットの連結部に固定されていることを特徴としている。
【発明の効果】
【００１３】
上記第１の発明によれば、スクリーン取付枠部のスライド移動にともなって連結された方立てがスライド移動し、一対のスクリーン取付枠部間に展開されたスクリーンの面強度を補強するので、強い風を受けても風圧によってスクリーンが大きく撓むのを抑制することができる。このため、スクリーン装置の遮光性、防虫性などの機能が安定して実現される。また、スクリーンの上端部付近に配設された上側のスライドガイド枠部が自重により撓むのが抑制され、スクリーン装置の開閉操作が安定して実現される。
【００１４】
また、上記第１の発明によれば、スクリーンの面強度を高めるなどのためにスクリーンを貫通して張設される張力部材が、方立てと干渉することはない。
【００１５】
上記第２の発明によれば、上記第１の発明の効果に加え、方立ての組み込みが容易になるとともに、方立ての安定したスライド移動が実現される。
【発明を実施するための最良の形態】
【００１６】
図１＜ａ＞＜ｂ＞は、それぞれ、本発明のスクリーン装置の一実施形態を示した正面図、上部断面図である。図２は、図１＜ａ＞＜ｂ＞に示したスクリーン装置の方立ての周辺部を示した要部分解斜視図である。
【００１７】
図１＜ａ＞＜ｂ＞および図２に示したスクリーン装置は、一対のスクリーン取付枠部１ａ、１ｂを備えている。スクリーン取付枠部１ａは開口部内縁の右側に固定され、一方、スクリーン取付枠部１ｂは、開口部内縁の左側に向かって開口部の横方向にスライド移動可能に配設され、両スクリーン取付枠部１ａ、１ｂは対向配置されている。開口部内縁の上側には上レール２が開口部の横方向に沿って配設され、スクリーン取付枠部１ａ、１ｂの上端部は上レール２の内側に収められている。開口部内縁の下側には下レール３が開口部の横方向に沿って配設されている。可動側のスクリーン取付枠部１ｂは、上レール２および下レール３に沿って開口部の横方向にスライド移動自在にされている。
【００１８】
スクリーン取付枠部１ｂには取っ手４が配設され、スクリーン装置の開閉操作を容易にしている。取っ手４は、一端部をスクリーン取付枠部１ｂに形成された上下方向に延びる凹部５において接続し、スクリーン取付枠部１ｂに固定されている。固定側のスクリーン取付枠部１ａにも上下方向に延びる凹部６が形成され、スクリーン装置の左右においてほぼ対称な外観を形成している。凹部６はまた、取っ手４において裏面側に突出する凸部７と係合可能であり、凸部７との係合により、スクリーン装置の開放時にスクリーン取付枠部１ｂが不用意に操作されることなく開けた状態を保持することができるようにしている。
【００１９】
スクリーン取付枠部１ａ、１ｂ間にはネットから形成されたスクリーン８が取り付けられている。スクリーン８は、プリーツ加工によりプリーツが付けられ、スクリーン取付枠部１ａ、１ｂ間に収縮および展開自在とされている。すなわち、スクリーン取付枠部１ｂが開口部内縁の左側にスライド移動する際に、スクリーン８は、開口部に展開し、虫などの侵入を阻止する。また、スクリーン８は、スクリーン取付枠部１ｂが開口部内縁の右側に向かってスライド移動する際に、収縮し、スクリーン取付枠部１ａ、１ｂ間に折り畳まれ、収納される。
【００２０】
なお、スクリーン８は、ネットから形成される他、布、樹脂製のシートなどから形成することもでき、スクリーン装置の用途に応じて適宜な素材から形成することができる。また、プリーツ加工によるプリーツ以外に、たとえばハニカム構造などによって収縮および展開自在とすることもできる。
【００２１】
スクリーン８には、収縮および展開方向に延びる張力部材９が張設されている。張力部材９には、紐、ワイヤーなどの張力が発生する適宜なものを採用することができ、スクリーン８の高さ方向の幅に対応して複数本を一定間隔で配設することができる。このような張力部材９は、プリーツ状のスクリーン８を収縮および展開方向に貫通し、スクリーン８を支持している。スクリーン８は、張力部材９によって自立性が確保され、また、面強度が高められている。張力部材９の配設は任意であり、省略は可能である。
【００２２】
また、スクリーン装置は、スクリーン８のスクリーン取付枠部１ａ、１ｂへの取付側でない両端部、すなわち、上下両端部付近に、一対のスライドガイド枠部１０ａ、１０ｂを備えている。スライドガイド枠部１０ａ、１０ｂはともに、２本のスライドガイド枠部ユニット１１が連結されて形成されている。スライドガイド枠部ユニット１１は、複数の剛性ユニット１２が連設されて形成され、所定長さを有している。
【００２３】
剛性ユニット１２は、対向配置された一対の側壁部１３と、両側壁部１３を相互に繋ぐ架橋部１４とを有している。側壁部１３には、長さ方向の一端部に外側に突出する突起１５が配設され、他端部に突起１５が係合可能な貫通孔１６が形成されている。また、側壁部１３には、突起１５に隣接して貫通孔１６と反対側に外側に突出する小突起１７が配設されるとともに、貫通孔１６に隣接して突起１５の側に略三日月状の長孔１８が形成されている。このような剛性ユニット１２が、隣り合う２つにおいて、突起１５を貫通孔１６に側壁部１３の内側から嵌め込んで係合させるとともに、小突起１７を長孔１８に差し込むことにより回動自在に連設され、スライドガイド枠部ユニット１１を形成している。スライドガイド枠部ユニット１１は、剛性ユニット１２が隣り合う２つにおいて回動自在とされているため、屈曲性を有し、また、小突起１７が長孔１８の長さ方向の一端に接触し、剛性ユニット１２の回動が規制されることによって直線性を保持することができる。スライドガイド枠部ユニット１１の直線性の保持のために、剛性ユニット１２には、さらに、架橋部１４の一端縁部の表面および他端縁部の裏面を切り欠き、段差を設けることができ、小突起１７の長孔１８への上記接触に併せて段差を重合させ、剛性ユニット１２の回動を規制することもできる。
【００２４】
このようなスライドガイド枠部ユニット１１の２本が、一端部において連結ユニット１９によって連結されている。連結ユニット１９は、対向配置された一対の側壁部２０と、両側壁部２０を相互に繋ぐ架橋部２１とを有している。側壁部２０には、長さ方向の両端部に外側に突出する突起２２が配設され、突起２２は、剛性ユニット１２の突起１５とほぼ同一の形状および大きさを有し、剛性ユニット１２の貫通孔１６に係合可能とされている。また、側壁部２０には、突起２２に隣接して端縁側に略三日月状の突起２３が配設されている。突起２３は、剛性ユニット１２の略三日月状の長孔１８に係合可能とされている。
【００２５】
２本のスライドガイド枠部ユニット１１は、それぞれの一端に位置する剛性ユニット１２の貫通孔１６に連結ユニット１９の突起２２を内側から嵌め込んで係合させるとともに、長孔１８に突起２３を内側から嵌め込んで係合させることにより、連結ユニット１９を介して連結され、スライドガイド枠部１０ａ、１０ｂを形成している。このため、両スライドガイド枠部１０ａ、１０ｂは、スライドガイド枠部ユニット１１と同様に、屈曲性を有するとともに、直線性の保持が可能になっている。
【００２６】
このようなスライドガイド枠部１０ａ、１０ｂは、長さ方向の両端、すなわち、スライドガイド枠部ユニット１１において連結ユニット１９により連結されていない側の一端が自由端とされ、スクリーン取付枠部１ａ、１ｂ内に収納および引き出し可能とされている。スライドガイド枠部１ｂを開口部内縁の左側に向けて開口部の横方向にスライド移動させると、スライドガイド枠部１０ａ、１０ｂはスクリーン取付枠部１ａ、１ｂから引き出され、引き出された部分は直線性を保持する。一方、スライドガイド枠部１ｂを開口部内縁の右側に向けてスライド移動させると、スライドガイド枠部１０ａ、１０ｂは、スクリーン取付枠部１ａ、１ｂの上端部、下端部において屈曲し、スクリーン取付枠部１ａ、１ｂの内部に収納される。このようなスライドガイド枠部１０ａ、１０ｂの収納および引き出しは、また、上レール２および下レール３に沿って行なわれ、上側のスライドガイド枠部１０ａの収納および引き出しは、上レール２の下端部の内側において行われる。
【００２７】
なお、スライドガイド枠部１０ａ、１０ｂにおいて２本のスライドガイド枠部ユニット１１の連結部に位置する連結ユニット１９は、上下に対向して配置されている。
【００２８】
そして、スクリーン装置では、スクリーン８の収縮および展開方向の略中央部においてスクリーン８の表裏両側に一対の方立て２４が配設されている。方立て２４は、上下のスライドガイド枠部１０ａ、１０ｂ間の高さに略等しい長さを有する本体片部２５と、本体片部２５の幅方向の中央部において裏面から突設され、本体片部２５の長さ方向に延びる２つの連結片部２６とを備えている。２つの連結片部２６において互いに対向する内面には、複数のリブ２７が突設され、各リブ２７は、２つの連結片部２６において対向して配置されている。また、連結片部２６の本体片部２５と反対側に位置する端縁部にフランジ２８が形成され、フランジ２８は、２つの連結片部２６において外側に向かっている。なお、本体片部２５の表面部には、幅方向の中央部に、スクリーン取付枠部１ａ、１ｂに形成された凹部５、６と同様な凹部２９が形成されている。
【００２９】
このような方立て２４は、スクリーン８の表裏両側に一つずつが、連結片部２６を突き合わせるようにして対向配置され、連結部材３０によって連結されている。連結部材３０は、外周部に溝３１が切られ、長さ方向の両端部が尖っているねじ部３２と、ねじ部３２の長さ方向の略中央部に配設された円板状のスペーサー３３とを有している。一対の方立て２４は、一方の方立て２４をスクリーン８の表裏いずれかの一方の面に近接して配置し、スクリーン８においてプリーツの折り目に形成された貫通孔３４を通じて連結部材３０のねじ部３２を、図３に示したように、方立て２４の連結片部２６間にねじ込み、リブ２７を溝３１に噛合させ、スペーサー３３をスクリーン８の他方の面に当接させて配置し、他方の方立て２４をスクリーン８の他方の面に近接して配置し、連結部材３０のねじ部３２を方立て２４の連結片部２６間にねじ込み、リブ２７を溝３１に噛合させることにより、連結部材３０によって連結され、一体となる。連結状態では、方立て２４における連結片部２６のフランジ２８はスペーサー３３の表裏面に当接し、一対の方立て２４間にスクリーン８を挟み込むが、一方の方立て２４とスクリーン８との間にはスペーサー３３の厚み分の間隙が形成される。この間隙によってスクリーン８を収縮および展開方向に貫通している張力部材９と方立て２４とが干渉するのを抑制することができ、張力部材９は、その間隙を通じてスクリーン８を貫通している。
【００３０】
方立て２４はまた、スライドガイド枠部１０ａ、１０ｂにおいて上下に対向して配置されている連結ユニット１９にねじ３５によって固定されている。連結ユニット１９には、架橋部２１において長さ方向の略中央部に接続部３６が突設され、接続部３６は、各側壁部２０の内側に一つずつ配置されている。接続部３６には、略中央部に、架橋部２１から貫通する貫通孔３７が形成され、接続部３６において連結ユニット１９の長さ方向の両端部に係止片３８が立設されている。そして、連結ユニット１９の両側壁部２０には、接続部３６に対応する位置において支持片３９が立設されている。支持片３９の幅は、方立て２４の本体片部２５に形成された凹部２９の幅に略一致している。
【００３１】
方立て２４は、上下両端部において、図４に示したように、係止片３８の内側に連結片部２６を差し込み、フランジ２８を係止片３８の内側の端面に接触させて連結片部２６が係止片３８によって係止され、また、本体片部２５の凹部２９に支持片３９を差し込み、本体片部２３が支持片３９によって支持され、そして、架橋部２１からねじ込まれるねじ３５によって連結ユニット１９に固定されている。このようにスライドガイド枠部１０ａ、１０ｂ間に固定された方立て２４は、スクリーン取付枠部１ｂのスライド移動にともなってスライドガイド枠部１０ａ、１０ｂが収納および引き出されることにより、両方立て２４が一体となってスクリーン取付枠部１ｂのスライド移動方向と平行な方向にスライド移動可能となっている。方立て２４のスライド移動は安定して実現される。また、スライドガイド枠部１０ａ、１０ｂにおいてスライドガイド枠部ユニット１１の連結部に位置する連結ユニット１９への固定により、方立て２４のスクリーン装置への組み込みが容易になっている。
【００３２】
上記の通りのスクリーン装置では、スクリーン８の表裏両側に対向配置された一対の方立て２４が、連結部材３０によって連結され、スクリーン８を挟み込んで一対のスライドガイド枠部１０ａ、１０ｂ間に固定され、連結された方立て２４は、一体としてスクリーン取付枠部１ｂのスライド移動方向と平行な方向にスライド移動可能とされているので、スクリーン取付枠部１ｂのスライド移動にともなって連結された方立て２４がスライド移動し、一対のスクリーン取付枠部１ａ、１ｂ間に展開されたスクリーン８の面強度を補強する。このため、開閉方向の幅が大きい大型のスクリーン装置の場合に、閉めた状態において強い風を受けても、風圧によってスクリーン８が大きく撓むのを抑制することができる。したがって、スクリーン装置の遮光性、防虫性などの機能が安定して実現される。
【００３３】
また、上側のスライドガイド枠部１０ａは、大きく撓むことが抑制されたスクリーン８によって十分支持され、しかも、方立て２４によっても支持されるため、スライドガイド枠部１０ａが自重により撓むのが抑制され、スクリーン装置の開閉操作が安定して実現される。
【００３４】
なお、方立て２４には、スクリーン取付枠部１ｂと同様に取っ手４を配設することができ、取っ手４によって方立て２４のスライド移動を操作することもできる。この場合、取っ手４は、一端部を凹部２９において接続し、方立て２４に固定することができる。方立て２４に配設された取っ手４は、また、裏面側に突出する凸部７において固定側のスクリーン取付枠部１ａに形成された凹部６と係合可能であり、スクリーン装置の開放時に方立て２４が不用意に操作されることなく開けた状態を保持することができる。このような凹部６との係合を可能にするために、方立て２４に配設される取っ手４は、スクリーン取付枠部１ｂに配設される取っ手４とは異なる高さに取り付ける必要がある。
【００３５】
また、方立て２４のスクリーン８における配置位置は、スクリーン８の収縮および展開方向の略中央部に限定されることはなく、スクリーン装置の大きさに応じて調節することができる。たとえば、スライドガイド枠部における連結ユニットの配置位置に対応させて配置することができ、スクリーンの収縮および展開方向に複数本を一定の間隔で配置することができる。
【００３６】
さらに、スクリーン取付枠部１ａは開口部内縁の右側に固定せず、スクリーン取付枠部１ｂと同様に、開口部の横方向にスライド移動自在とすることもできる。
【図面の簡単な説明】
【００３７】
【図１】＜ａ＞＜ｂ＞は、それぞれ、本発明のスクリーン装置の一実施形態を示した正面図、上部断面図である。
【図２】図１＜ａ＞＜ｂ＞に示したスクリーン装置の方立ての周辺部を示した要部分解斜視図である。
【図３】図１＜ａ＞＜ｂ＞に示したスクリーン装置における方立ての連結形態について示した要部断面図である。
【図４】図１＜ａ＞＜ｂ＞に示したスクリーン装置における方立ての固定形態について示した要部断面図である。
【符号の説明】
【００３８】
１ａ、１ｂ  スクリーン取付枠部
８  スクリーン
９  張力部材
１０ａ、１０ｂ  スライドガイド枠部
１１  スライドガイド枠部ユニット
１２  剛性ユニット
１３  側壁部
１４  架橋部
２４  方立て
３０  連結部材
３３  スペーサー
【図１】
0005358126.tif 000002
【図２】
0005358126.tif 000003
【図３】
0005358126.tif 000004
【図４】
0005358126.tif 000005